(57)【要約】【課題】太陽電池を入力電源とし、薄型、小型で、幅が狭く、電力変換効率の高い電力変換装置の提供する。【解決手段】複数のトランスを備える電力変換装置であって、前記複数のトランスのうちの各トランス毎に第１の極性の入力端子と、第２の極性の入力端子と、前記トランスの一次巻線の一端を前記第１の極性の入力端子に接続し、前記複数のトランスの一次巻線の他端を前記第２の極性の入力端子に接続するための配線部と、前記配線部と前記他端との間に直列に配置され、前記各トランスの一次巻線への電圧印加を制御するためのスイッチング素子とを備え、前記配線部の一部が、前記一端又は他端に接続され、接続される前記トランスを包囲するように配置される。【選択図】図１
2004336944.tif 000002
【特許請求の範囲】
【請求項１】
複数のトランスを備える電力変換装置であって、
前記複数のトランスのうちの各トランス毎に
第１の極性の入力端子と、
第２の極性の入力端子と、
前記トランスの一次巻線の一端を前記第１の極性の入力端子に接続し、前記複数のトランスの一次巻線の他端を前記第２の極性の入力端子に接続するための配線部と、
前記配線部と前記他端との間に直列に配置され、前記各トランスの一次巻線への電圧印加を制御するためのスイッチング素子とを備え、
前記配線部の一部が、前記一端又は他端に接続され、接続される前記トランスを包囲するように配置されることを特徴とする電力変換装置。
【請求項２】
前記トランスの一次巻線の前記一端と前記他端とが、前記トランスのコアに対し対向して配置され、
前記各トランスは、前記一端が前記他端よりも前記入力端子に対して離れて配置されることを特徴とする請求項１に記載の電力変換装置。
【請求項３】
前記トランスの一次巻線の前記一端と前記他端とが、前記トランスのコアに対し対向して配置され、
前記各トランスは、前記他端が前記一端よりも前記入力端子に対して離れて配置されることを特徴とする請求項１に記載の電力変換装置。
【請求項４】
前記複数トランスのうちのいずれか２つの間に配置された、前記スイッチング素子の動作を制御するための制御回路と更に備えることを特徴とする請求項１乃至３のいずれかに記載の電力変換装置。
【請求項５】
前記トランスは、プッシュプルトランスであって、
前記一次巻線のうち、第１の一次巻線の一端であって前記第１の極性の入力端子に接続される第１の一端と、第２の一次巻線の一端であって前記第１の極性の入力端子に接続される第２の一端とが、前記配線部の一部により前記第１の極性の入力端子に接続されることを特徴とする請求項１乃至４のいずれか１項に記載の電力変換装置。
【請求項６】
前記トランスは、プッシュプルトランスであって、
前記一次巻線のうち、第１の一次巻線の他端であって前記第２の極性の入力端子に接続される第１の他端と、第２の一次巻線の他端であって前記第２の極性の入力端子に接続される第２の他端とが、前記配線部の一部により前記第２の極性の入力端子に接続されることを特徴とする請求項１乃至４のいずれか１項に記載の電力変換装置。
【請求項７】
前記入力端子には、太陽電池セルからの電力が入力されることを特徴とする請求項１乃至６のいずれかに記載の電力変換装置。
【請求項８】
前記太陽電池セルと、請求項１乃至６いずれかに記載の電力変換装置とを備えることを特徴とする太陽光発電システム。
【発明の詳細な説明】
【０００１】
【発明の属する技術分野】
本発明は、電力変換装置および太陽光発電システムに関する。
【０００２】
【従来の技術】
太陽光発電システムの構成の一つとして、太陽電池セルの出力をＤＣ／ＤＣコンバータで昇圧して、系統連系インバータなどの負荷に供給するものがある。ＤＣ／ＤＣコンバータの回路の一例には、図９に示すプッシュプル回路がある（例えば、特許文献１）。
【０００３】
ここでは、太陽電池セル１の出力を入力平滑コンデンサ２で受けるとともに、スイッチング素子３ａ、３ｂを制御回路５からの駆動信号に基づいて交互にスイッチング動作して、トランス４の一次巻線（センタータップあり）に高周波の交流電圧を印加する。トランス４の二次巻線は、一次巻線と二次巻線の巻数比で決まる昇圧された交流電圧を出力し、ダイオード５０ａ、５０ｂ、５０ｃ、５０ｄからなる整流回路５０で直流に変換し、出力平滑コイル６０、出力平滑コンデンサ６１からなる出力フィルタ６２で出力を平滑化して、負荷７の昇圧した電圧を給電する。特におよそ５０％の固定デューティと駆動する場合には、出力フィルタ６２が整流回路５０の近傍にある必要性が低いので、ＤＣ／ＤＣコンバータ本体の外部に備えるよう構成できる。
【０００４】
【特許文献１】
特開平９−１１７１５３号公報
【０００５】
【発明が解決しようとする課題】
このような回路構成のＤＣ／ＤＣコンバータを太陽電池セルの一辺に配置して、電気接続すると共に、機械的な固定を行う場合、ＤＣ／ＤＣコンバータは、太陽電池セルと接続した状態での設置、取り回し、運搬の面から、極力小型、薄型のほうが好ましい。また、ＤＣ／ＤＣコンバータは、太陽電池セルの発電電力を有効に利用するために極力電力変換効率が高いことが望ましい。
【０００６】
ＤＣ／ＤＣコンバータに用いられるトランス４として薄型のものを用いると、抵抗損失の増加、コア損失の増加、漏れ磁束の増加などにより、ＤＣ／ＤＣコンバータの電力変換効率の低下が生じてしまう。一方、立方体に近い形状のトランスを用いればＤＣ／ＤＣコンバータの電力変換効率は高まるが、小型化および薄型化が犠牲となる。このように、従来のＤＣ／ＤＣコンバータでは小型化／薄型化と高電力変換効率の両立が困難であった。
【０００７】
上記構成に対して、図１０に示すような回路構成のプッシュプル回路がある。図９との違いは、スイッチング素子３ａ、３ｂとトランス４ａを一組とし、またスイッチング素子３ｃ、３ｄとトランス４ｂを一組とした、二組のプッシュプル部を備えている点である。２組のプッシュプル部は入力側は並列接続に、出力側は直列接続されている。このように複数のトランスを有するプッシュプル回路では、１つの立方体状のトランスを用いるものに対しては小型化／薄型化でき、１つの薄型トランスを用いるものに対しては電力変換効率が向上できるというメリットがある。
【０００８】
従来のこの回路を図１１のような部品配置を行っていた。図１０と同じ符号のものは同じものを示す。ＤＣ／ＤＣコンバータ１００には、２組のプッシュプル部は横に並べて配置し、図中下側には２組のプッシュプル部への共通のマイナス側の主回路配線部２０ｂを配置し、図の左及び上側には２組のプッシュプル部への共通のプラス側の主回路配線部２０ａを配置し、主回路配線部２０で２組のプッシュプル部を一まとめに囲むように構成していた。
【０００９】
図１２に示すように、接続部材１２０８により、図１１に示すＤＣ／ＤＣコンバータ１００の接続部１０と太陽電池セル１２００と接続する。また、図１１の点線で示した部分は、太陽電池セルからの電流を入力するために接続するため接続部１０である。
【００１０】
このような太陽電池セル１２００とＤＣ／ＤＣコンバータ１００を有する太陽光発電システムを設置する場合に、設置面積あたりの発電量、すなわち面積発電効率を高めるには太陽電池セル１２００以外のスペースが少ないことが望ましく、太陽電池セル１２００からのＤＣ／ＤＣコンバータ１００の飛び出し幅が小さい方が好ましい。
【００１１】
上記の図１１のＤＣ／ＤＣコンバータ１００では、プラス側の主回路配線部２０ａは図１１の上側に配置して長く引き回すことになり、配線抵抗が大きくなりやすい。この主回路配線部２０ａは、太陽電池１２００からの低圧、大電流が流れる部分であるため、低損失に配線するにはプラス側の主回路配線部２０ａにある程度広い幅を必要とし、太陽電池セル１２００からのＤＣ／ＤＣコンバータ１００の飛び出し幅が大きくなる。
【００１２】
ＤＣ／ＤＣコンバータ１００の飛び出し幅を小さくするためプラス側の主回路配線部２０ａの幅を狭くするとプラス側の主回路配線部２０ａでの配線抵抗が高くなり、ＤＣ／ＤＣコンバータ１００の電力変換効率が低下する。このように、ＤＣ／ＤＣコンバータの高電力変換効率とＤＣ／ＤＣコンバータの小型化／薄型化の両立、あるいは薄型ＤＣ／ＤＣコンバータの高電力変換効率と太陽光発電システムの高面積発電効率の両立が困難である。
【００１３】
また、プラス側の主回路配線部２０ａが長く、２つのトランスの一次巻線センタータップまで各々の配線抵抗が異なるため、２組のプッシュプル部の動作条件がアンバランスになり、電力変換効率や動作の安定性が低下する。
【００１４】
また、図１１のＤＣ／ＤＣコンバータ１００は横方向に長く、制御回路５から駆動する各スイッチング素子３ａ、３ｂ、３ｃ、３ｄまでの距離が長く、それぞれの距離に大きな差が生じるため、各スイッチング素子３の駆動条件に差が生じて、動作の安定性が低下するおそれがある。
【００１５】
即ち、本発明が解決しようとする課題、換言すれば、本発明が達成しようとする目的は、太陽電池を入力電源とし、薄型、小型で、幅が狭く、電力変換効率の高い電力変換装置の提供することである。また、さらに動作の安定性が高い電力変換装置を提供することである。また、薄型、小型で、幅が狭く、電力変換効率と面積発電効率の高い太陽光発電システムを提供することである。
【００１６】
【課題を解決するための手段】
上記課題を解決するための本発明は、複数のトランスを備える電力変換装置であって、前記複数のトランスのうちの各トランス毎に第１の極性の入力端子と、第２の極性の入力端子と、前記トランスの一次巻線の一端を前記第１の極性の入力端子に接続し、前記複数のトランスの一次巻線の他端を前記第２の極性の入力端子に接続するための配線部と、前記配線部と前記他端との間に直列に配置され、前記各トランスの一次巻線への電圧印加を制御するためのスイッチング素子とを備え、前記配線部の一部が、前記一端又は他端に接続され、接続される前記トランスを包囲するように配置されることを特徴とする。
【００１７】
また、本発明は、太陽電池セルと上記電力変換装置とを備えることを特徴とする太陽光発電システムを提供することにより、上記課題を解決するものである。
【００１８】
【発明の実施の形態】
本発明の電力変換装置は、太陽電池セルを入力とする入力端子と、少なくとも２つ以上のトランスとを有する電力変換装置において、前記複数のトランスの一次巻線の一端を入力端子の一端に接続し、前記複数のトランスの一次巻線の他端を入力端子の他端に接続する主回路配線部を有し、前記主回路配線部間に直列挿入され、前記各トランスの一次巻線への電圧印加を制御するスイッチング素子を各トランスに対して少なくとも１つ備え、前記主回路配線部の少なくとも一部の主回路配線部は各トランスに個別に入力端子の一端と配線されるとともに、前記一部の主回路配線部は接続される各々のトランスを包囲するように配置する。
【００１９】
電力変換装置の回路方式は、プッシュプル回路、フルブリッジ回路、ハーフブリッジ回路、フォワード回路、フライバック回路など種々適用できる。また、例えば太陽電池セルなどの低圧、大電流を入力とする場合に高い電力変換効率を得るにはプッシュプル回路、フルブリッジ回路が好適である。
【００２０】
トランスには、コア材、コア形状、巻き方など特に限定はないが、薄型形状が望ましい。例えば、図５の斜視図に示されるようなトランスを用いることができる。このトランスは、ボビンに一次巻線および二次巻線を巻き回して、ボビンの挿入孔の両側からコアの中脚を挿入して構成する薄型ＥＥトランスの一例である。一次巻線および二次巻線は必要に応じてボビンのピン端子に絡げて固定する。また、トランスの数量は２個以上であればよく、３個あるいは４個などでもよく、特に限定はない。一字巻線の両端の引き出し方向がトランスコアに対して互いに逆方向（或いは、対向方向）であることが好ましい。特にプッシュプル回路においては、２つの一次巻線のセンタータップを構成する巻線端部をトランスコアに対して同方向に引き出すことにより、センタータップを構成する一次巻線の端部間の配線長を短くできるので配線抵抗を低減でき、好適である。
【００２１】
２つのトランスの配置は、太陽電池セルと電力変換装置を接続する側の太陽電池セルの辺に対して、平行に並べることが望ましい。トランスの巻線の引き出し方向が前記辺に対していずれの向きになってもよく、例えば引き出し方向が前記辺に対して平行や垂直に引き出してもよい。
【００２２】
スイッチング素子に特に限定ないが、太陽電池セルからの低圧、大電流に対しては電力変換効率の点でＭＯＳＦＥＴが好適である。
【００２３】
複数のトランスの一次巻線及び又は二次巻線は各々並列または直列に接続されるが、一次巻線は並列接続される構成が好適である。二次巻線は並列または直列どちらでもよいが、昇圧比が大きい場合には二次巻線を直列することにより１個のトランスの巻数比を小さくすることができ、電力変換効率の向上および小型化の点でメリットがある。
【００２４】
主回路配線部の材質は電気的に低抵抗であれば特に限定はなく、銅、アルミ、銀あるいはこれらをベースにした合金などを適宜使用できる。低抵抗かつ安価という点で銅および銅合金が好適である。また、主回路配線部をプリント基板上の導体で構成する他、金属ベース基板上の導体や、板状あるいは棒状に加工した部材など、種々構成可能である。
【００２５】
プッシュプル回路では、複数のトランスの各々に２つの一次巻線を備え、同一トランス中の各一次巻線の一端を主回路配線部で入力端子の一端に接続し、同一トランス中の各一次巻線の他端を各々スイッチング素子を介して主回路配線部で入力端子の他端に接続する。
【００２６】
本発明の太陽光発電システムに用いる太陽電池セルは、少なくと１箇所にプラス極とマイナス極があればよく、特に限定はないが、低圧、大電流を出力するものが好適である。太陽電池セルの発電層としては、結晶シリコン、薄膜シリコン、ＣＩＳ、色素増感などの種々使用できる。また同種あるいは異種の材質の発電層を複数積層したスタック形太陽電池も使用可能である。
【００２７】
また、太陽電池セルの基板として、ガラス基板、金属基板、フィルム基板など特に限定はない。また、太陽電池セルの直列数に特に限定はないが、直列数が少なく電圧が低いものが好適であり、１乃至１０の直列数が好ましく、太陽電池セルが１乃至４の直列数のものが特に好ましい。
【００２８】
また、太陽電池セルの直列数が１の場合には、太陽電池セルの一部が陰になる部分影が生じても、太陽電池セルを複数直列した場合に太陽電池セルの電圧−電流特性カーブの違いに起因するミスマッチ損失が発生しないので、好ましい。
【００２９】
スイッチング素子をオン／オフ制御する制御回路には特に制限なく、アナログ、デジタル、あるいはこれらを組み合わせたものなど、公知公用のものを適宜使用できる。また、パルス制御方式は、ＰＷＭ、ＰＦＭ、ＰＮＭなどの可変デューティや固定デューティ、あるいはこれらの組み合わせものなどの、種々適用可能である。
【００３０】
また、本発明の電力変換装置に入力する電源は、太陽電池セルに限るものでなく、燃料電池、一次電池、二次電池など、種々適用できる。
【００３１】
【第１の実施形態】
以下図面を参照して本発明の実施形態の一例を説明する。
【００３２】
本発明のＤＣ／ＤＣコンバータの回路構成の一例は図２に示すようになる。図１０と共通点が多いが、本実施形態では平滑コンデンサ２が２ａと２ｂに２つに分かれて、２組のプッシュプル部の各入力部に分けて配置している。なお、出力平滑コイル６０、出力平滑コンデンサ６１からなる出力フィルタ６２はＤＣ／ＤＣコンバータ本体の外部で負荷側に配置している。
【００３３】
また、図１に本実施形態に対応する部品の配置構成の一例を示す。図１において、添え字のアルファベットにより識別される同一符号は、それぞれ同一の構成要素を示す（以下、他の図についても同様。）。ＤＣ／ＤＣコンバータ１００の中央には制御回路５と整流回路５０を配置し、他の部材を左右対称に配置する。２個のトランス４ａ、４ｂは図のように左右対称に並べて配置する。
【００３４】
トランス４ａの上面図の一例を図６に示す。トランス４ａは、不図示の二次巻線の外側に２つの一次巻線４１ａ、４２ａを構成している。各一次巻線のセンタータップとなる一次巻線の端部４５ａ、４６ａを引き出して、プラス側の主回路配線部２１ａ、２１ｄに接続する。また、一次巻線の他端となる４３ａ、４４ａはセンタータップ側４５ａ、４６ａとはコアに対して逆方向に引き出して各スイッチング素子３ａ〜３ｄに接続する。
【００３５】
二次巻線の引出部の一端の４７ａはダイオード５０ａと５０ｂの中間部に接続され、他端の４８ａはもう一方のトランス４ｂの二次巻線の一端と直列となるよう接続される。トランス４ｂの二次巻線の他端も同様にダイオード５０ｃと５０ｄの中間部に接続される。
【００３６】
また各スイッチング素子はマイナス側の主回路配線部２１ｂ、２１ｃに接続され、制御回路５からの駆動信号に応じて、トランス４ａ、４ｂの一次巻線のセンタータップを挟む両端はそれぞれマイナス側の主回路配線部２１ｂ、２１ｃとの間で交互にオン／オフ動作する。マイナス側の主回路配線部とトランス４の一次巻線のセンタータップを挟む両端部との間にスイッチ素子３を設けることで、低損失なｎ−ｃｈのＭＯＳＦＥＴを使用できる。
【００３７】
マイナス側の主回路配線部２１ｂ、２１ｃは、図示したようにそれぞれ図２の下側に配置される。プラス側の主回路配線部２１ａ、２１ｄはそれぞれ図２の上側および図２の左右端に沿って、所定の幅で配置される。各プッシュプル部への主回路配線部のマイナス側とプラス側の間に平滑コンデンサ２ａ、２ｂを接続する。また、点線で示した部分は、各プッシュプル部に対して太陽電池セルを入力する入力端子となる接続部１０ａ、１０ｂを示す。
【００３８】
本発明の主回路配線部とは、図１の主回路配線部２１ａ、２１ｂ（２１ｄ、２１ｃ）と、図２に示したスイッチング素子３ａ（３ｃ）とトランス４ａ（４ｂ）の一次巻線の端部とを接続する配線（図１に不図示）と、図２に示したスイッチング素子３ｂ（３ｄ）とトランス４ａ（４ｄ）の一次巻線の端部とを接続する配線（図１に不図示）のことである。図１に不図示の配線は、本実施形態では非常に短いので、図１には不図示とし説明を省略する。
【００３９】
プラス側の主回路配線部およびプラス側の主回路配線部の幅は、従来の配線損失と同等以下となるよう、例えば従来の幅の約０．６倍（例えば、従来の幅が１０ｍｍの場合には６ｍｍ）にする。これにより、ＤＣ／ＤＣコンバータの電力変換効率の低下を抑制しつつ、図２に示すＤＣ／ＤＣコンバータの図中の上下方向の幅を小さくすることができる。
【００４０】
このように構成することで、２個のトランスの太陽電池セルから一次巻線までの配線抵抗が等しくなり、２つのトランスに供給される電力バランスが均一化され、電力変換効率が向上し、また安定動作できる。また、２つのトランスの共通の配線経路を極力廃し、分離された配線経路を持つことで、一方の変換部の動作が他方に及ぼす影響を低減でき、動作を安定化できる。
【００４１】
また、２つの入力平滑コンデンサ２ａ、２ｂの両端部と太陽電池セルの正極と負極の間の配線長が短くなるので、一次側電力変換回路の総配線長が短くなり寄生インダクタンスが低減され、低ノイズ、安定動作となる。
【００４２】
また、前記トランスの一次巻線の一端と他端をコアに対して逆方向に引き出し、更に、１組の一次巻線のセンタータップを構成する一次巻線の一端をコアに対して同一方向に引き出すことで、センタータップ間の接続配線長が短くなり低抵抗化し、電力変換効率を高めることができる。
【００４３】
また、制御回路５を２個のトランスの略中心に配置することで、制御回路５から各スイッチング素子３への距離がそれぞれ近い値となるので、駆動条件が均等化されて、動作が安定化する。また、制御回路５から各スイッチング素子３への最大距離を短縮できるので、寄生インダクタンスの影響が低減し、ノイズの影響を抑制できる。
【００４４】
また、従来の主回路配線部と比べて本実施形態における主回路配線部では、図１中の左右方向の長さが短く複数に分離していることから、膨張係数の違いから生じる熱応力を緩和しやすく、プリント基板の反りの抑制や、信頼性の向上の効果があり、ＤＣ／ＤＣコンバータが温度変化の激しい屋外で使用される場合に大きな効果を有する。
【００４５】
なお、主回路配線部の幅を全て従来の幅の約０．６倍としたが、これに限定するものではなく、効率重視、幅重視など適宜設計できるのはいうまでもない。また、主回路配線部に流れる電流量に応じて部分部分の幅を変えることができるのはいうまでもない。
【００４６】
また、本実施形態では図１のように部品配置し、一次巻線のセンタータップを構成する一次巻線の一端を図１の上側に引き出し、主回路配線部２１ａに接続して、太陽電池セルを入力する接続部１０ａのプラスを入力する一端に接続される構成とし、一次巻線の他端を図１の下側に引き出し、スイッチング素子３ａ、３ｂを介して主回路配線部２１ｂに接続して、太陽電池セルを入力する接続部１０ａのマイナスを入力する一端に接続される構成としたが、これに限定するものではなく、例えば図３に示すように、一次巻線のセンタータップを構成する一次巻線の一端を図３の下側に引き出し、スイッチング素子３ａ、３ｂを介して主回路配線部２１ｂに接続して、太陽電池セルを入力する接続部１０ａのプラスを入力する一端に接続される構成とし、一次巻線の他端を図３の上側に引き出し配線部２１ａに接続して、太陽電池セルを入力する接続部１０ａのマイナスを入力する一端に接続される構成とするなど、種々変形してもよい。
【００４７】
上記のように、本実施形態において主回路配線部を個別にトランス毎に設けて、かつ、各トランス用の主回路配線部でトランスを包囲するよう配置することで、主回路配線部の電流密度が低減でき、主回路配線部での配線抵抗損失を低減できる。また、損失低減分に応じて主回路配線部の配線幅を低減でき、電力変換装置の幅を狭くすることができる。これにより、薄型、小型で、幅が狭く、電力変換効率が高い電力変換装置が得られる。
【００４８】
また、トランスの一次巻線のセンタータップを形成する１組の一次巻線の一端をトランスコアに対して同一方向に引き出すことでセンタータップ間の接続のために必要とする配線長を短くすることができるので配線が低抵抗となり好適である。
【００４９】
また、前記スイッチング素子のオン／オフを制御する制御回路を複数トランスの略中心に配置するのが好ましい。制御回路からスイッチング素子への距離がほぼ等しくなり駆動条件が均等化されるので、動作が安定化する。
【００５０】
【第２の実施形態】
次に本発明の他の実施形態の一例について説明する。
【００５１】
図７に本発明の太陽光発電システムの構成を示す。この太陽光発電システムは、第１の実施形態で説明したＤＣ／ＤＣコンバータ１００と、２枚の太陽電池セル１２００（１２００ａ、１２００ｂ）で構成されている。
【００５２】
この太陽電池セル１２００について、図８を参照して説明する。図８は、太陽電池セルの上面（受光面）の一例を表したもので、太陽電池セル１２００は、導電性を有する基板１２０１上に形成されている。受光面に導電性が高い複数の第１電極１２０５を並べて配置して、太陽電池セルの発電層からの電流を低損失に集電する。第１電極１２０５は図８の上側で受光面側の第２電極１２０７と電気的に接続され、より高い導電性を有する第２電極１２０７で各第１電極１２０５からの電流を低損失に集電する。第２電極１２０７と基板１２０１の間には太陽電池セルの短絡防止のために絶縁性フィルム１２０４を挿入してある。また、基板１２０１は導電性を活用して太陽電池セルのもう一方の電極として使用する。
【００５３】
また図示はしてないが、より低損失に集電を行うために、基板１２０１より導電性の高い裏面電極を基板の一部に設けてある。なお、太陽電池セル１２００の極性は、受光面側がプラス、その裏面側がマイナスである。
【００５４】
このような基本構成を持つ２枚の太陽電池セル１２００を図７のように配置、構成する。ただし、受光面側の第２電極１２０７は各太陽電池セル１２００に個別に設ける代わりに、２枚の太陽電池セル１２００を共通部材の第２電極１２０７ａで構成する。
【００５５】
上記の２枚の太陽電池セル１２００とＤＣ／ＤＣコンバータ１００の接続部１０とを導電性を有する４つの接続部材１２０８を用いて電気的に接続する。接続部材１２０８ａは、一端を太陽電池セル１２００の第２電極１２０７ａに、他端を図１のＤＣ／ＤＣコンバータ１００の主回路配線部２１ａの接続部１０ａに電気的に接続する。接続部材１２０８ｂは、一端を太陽電池セル１２００の裏面電極に、他端を図１のＤＣ／ＤＣコンバータ１００の主回路配線部２１ｂの接続部１０ａに電気的に接続する。接続部材１２０８ｃは、一端を太陽電池セル１２００の裏面電極に、他端を図１のＤＣ／ＤＣコンバータ１００の主回路配線部２１ｃの接続部１０ｂに電気的に接続する。接続部材１２０８ｄは、一端を太陽電池セル１２００の第２電極１２０７ａに、他端を図１のＤＣ／ＤＣコンバータ１００の主回路配線部２１ｄの接続部１０ｂに電気的に接続する。
【００５６】
このような太陽光発電システムでは、薄型で、ＤＣ／ＤＣコンバータ１００の電力変換効率を高く維持したまま、ＤＣ／ＤＣコンバータ１００が太陽電池セル１２００から飛び出す幅を小さくすることができ、設置エリアでのデッドスペースが小さくなり、面積発電効率が向上する。
【００５７】
また、薄型で、ＤＣ／ＤＣコンバータ１００が太陽電池セル１２００から飛び出す幅も小さくなるので、ＤＣ／ＤＣコンバータ１００へ物をぶつけたり擦ったりして、故障したり傷つけられたりする可能性が低減されるとともに、設置、運搬での作業性が向上する。
【００５８】
また、薄型で、太陽光発電システムの上下方向の幅も小さくなるので、梱包の部材や輸送のためのスペースが削減でき、梱包、輸送のコストを低減できる。
【００５９】
【第３の実施形態】
本発明の更に他の実施形態の一例について説明する。
【００６０】
本実施形態のＤＣ／ＤＣコンバータ１００はプッシュプル部を３組備えている点が第１の実施形態と異なる。トランス４ａ〜ｃの一次巻線側はいずれも各々並列に、トランス４ａ〜ｃの二次巻線側はいずれも各々直列接続されている点は第１の実施形態と同様である。図１３は、本実施形態に対応する回路構成の一例を示す図である。
【００６１】
本実施形態のＤＣ／ＤＣコンバータの配置構成を図４に示す。プラス側の主回路配線部２１ａ、２１ｃ、２１ｅは図４に示したようにＬ字に配置されて、トランス４ａ、４ｂ、４ｃの一次巻線のセンタータップ側と接続されている。マイナス側の主回路配線部２１ｂ、２１ｄ、２１ｆは図４の下側に配置され、それぞれスイッチング素子３ａと３ｂ、３ｃと３ｄ、３ｅと３ｆに接続される。
【００６２】
スイッチング素子３ａはトランス４ａの一次巻線のセンタータップを挟む両端の一端に、スイッチング素子３ｂはトランス一次巻線のセンタータップを挟む両端の他端に接続される。スイッチング素子３ｃと３ｄ並びに３ｅと３ｆも同様にトランス４ｂおよび４ｃに接続される。制御回路５と整流回路５０は、例えば図４に示した位置のプッシュプル部の間に配置することができる。
【００６３】
上記のように、各プッシュプル部に個別に主回路配線部２１ａ〜ｆを設け、各プッシュプル部の各トランス４ａ〜ｃを包囲するように配置する構成では、太陽電池セルからの電流が３分割されて各プッシュプル部に分配されるので、従来と同じ幅であれば電流密度が１／３に低減できる。そこで、従来と同等かそれ以下程度の損失となるよう主回路配線部２１の幅を狭くすることができる。
【００６４】
例えば、従来の０．５倍程度にしてもよい。これにより、薄型のＤＣ／ＤＣコンバータ１００の電力変換効率を維持（あるいは向上）しつつ、図４の上下方向の幅を低減できることがわかる。
【００６５】
このように、トランスを３つ有する薄型のＤＣ／ＤＣコンバータにおいても、トランスを２個備えたものと同等以上にＤＣ／ＤＣコンバータの幅を低減できる。また、この他にトランスを４個以上備えたものも構成可能である。
【００６６】
【発明の効果】
以上述べたように本発明によれば、薄型、小型で、幅が狭く、電力変換効率が高い電力変換装置が得られる。
【００６７】
また、太陽電池セルと、上記の電力変換装置とを有する太陽光発電システムでは、薄型かつ電力変換装置の電力変換効率を高く維持したまま、電力変換装置が太陽電池セルから飛び出す幅を小さくすることができ、太陽光発電システムの面積発電効率が向上する。
【図面の簡単な説明】
【図１】本発明の第１の実施形態に対応する部品の配置構成の一例を示す図である。
【図２】本発明の第１の実施形態に対応する回路構成の一例を示す図である。
【図３】本発明の第１の実施形態に対応する他の配置構成の一例を示す図である。
【図４】本発明の第３の実施形態に対応する配置構成の一例を示す図である。
【図５】本発明の第１の実施形態に対応するトランスの構成の一例を示した図である。
【図６】本発明の第１の実施形態に対応するトランスの上面図の一例である。
【図７】本発明の第２の実施形態に対応する太陽光発電システムの構成の一例を示す図である。
【図８】本発明の第２の実施形態に対応する太陽電池セルの構成の一例を表す図である。
【図９】従来の回路構成の一例を示す図である。
【図１０】従来の回路構成の一例を示す図である。
【図１１】従来のＤＣ／ＤＣコンバータの構成の一例を示す図である。
【図１２】従来の太陽光発電システムの一例を示す図である。
【図１３】本発明の第３の実施形態に対応する回路構成の一例を示す図である。
【符号の説明】
１  太陽電池セル
２  入力平滑コンデンサ
３  スイッチング素子
４  トランス
５  制御回路
７  負荷
１０  接続部
２０  主回路配線部
２１  主回路配線部
４１  一次巻線
４２  一次巻線
４２  一次巻線の端部
４３  一次巻線の端部
４４  一次巻線の端部
４５  一次巻線の端部
４７  二次巻線の端部
４８  二次巻線の端部
５０  整流回路
６０  出力平滑コイル
６１  出力平滑コンデンサ
６２  出力フィルタ
１００  ＤＣ／ＤＣコンバータ
１２００  太陽電池セル
１２０１  基板
１２０４  絶縁性フィルム
１２０５  第１電極
１２０７  第２電極
１２０８  接続部材
【図１】
2004336944.tif 000003
【図２】
2004336944.tif 000004
【図３】
2004336944.tif 000005
【図４】
2004336944.tif 000006
【図５】
2004336944.tif 000007
【図６】
2004336944.tif 000008
【図７】
2004336944.tif 000009
【図８】
2004336944.tif 000010
【図９】
2004336944.tif 000011
【図１０】
2004336944.tif 000012
【図１１】
2004336944.tif 000013
【図１２】
2004336944.tif 000014
【図１３】
2004336944.tif 000015